(57)【要約】懸架格納棚は、少なくとも１つの支持ビームと、任意で長さを調整可能であり、支持ビームに対して下端において取り付けられる少なくとも２つ懸架柱とを有する支持枠によって支持される１つ又はそれ以上のパネルによって形成される基盤を有する。締め具は、支持枠を構造体に対して固定する。２つ又はそれ以上のパネルを有する一実施例においてパネルは、例えば、支持ビームに沿って互いに対して隣接して位置付けられること、カップリングを有する等して互いに対して固定されること、及び／又は支持ビームに対して固定されることによって連続平面を形成する。場合によっては、パネルは、支持ビームに沿って位置付けられ、支持ビームの長さは、懸架柱がパネルを隣接して保持するようにされる。場合によっては、懸架柱は、支持ビームの端部において取り付けられ、その各々は基盤を越えて延在する。
2007519494.tif 000002
【特許請求の範囲】
【請求項１】
構造体から懸架する格納棚であって、
１つ又はそれ以上の個別のパネルを有する基盤と、
前記基盤の下方にある少なくとも１つの支持ビームと、互いに対して間隔をあけられて前記支持ビームに対して下端において取り付けられる少なくとも２つの懸架柱とを有する支持枠と、
前記懸架柱と前記支持ビームとが協働して前記基盤を前記構造体から懸架するよう前記構造体に対して前記支持枠を固定する締め具と、
を有し、
前記基盤の前記１つ又はそれ以上のパネルは、実質的な連続平面を形成するよう前記支持ビームに沿って位置付けられる、
格納棚。
【請求項２】
前記支持ビームは、前記懸架柱の各々の下端と一体的に形成される、
請求項１記載の格納棚。
【請求項３】
前記支持ビームは２つの端部を有し、各前記支持ビーム端部は、前記基盤を越えて延在する、
請求項１記載の格納棚。
【請求項４】
前記支持枠は、各支持ビーム端部に対して下端において取り付けられた懸架柱を有する、
請求項３記載の格納棚。
【請求項５】
前記支持ビームの長さは、前記懸架柱が各支持ビーム端部において前記パネルを隣接して保持するようにされる、
請求項４記載の格納棚。
【請求項６】
前記基盤は、２つ又はそれ以上のパネルを有し、前記格納棚は更に隣接するパネルを固定するカップリングを有する、
請求項１記載の格納棚。
【請求項７】
前記パネルは、ワイヤ部材のグリッドから形成され、前記カップリングは、隣接するパネルの隣接するワイヤ部材を固定するクランプを有する、
請求項６記載の格納棚。
【請求項８】
前記基盤は、２つ又はそれ以上のパネルを有し、各パネルは前記支持ビームに対して固定される、
請求項１記載の格納棚。
【請求項９】
前記懸架柱は、調整可能な長さを有する、
請求項１記載の格納棚。
【請求項１０】
前記懸架柱は、少なくとも２つの柱要素を有し、前記懸架柱の前記長さが前記柱要素を選択的に接合することによって調整されるようにする、
請求項９記載の格納棚。
【請求項１１】
前記パネルは、前記支持ビームに沿って位置付けられ、隣接するパネルの端部が前記支持ビームに対して垂直であるようにする、
請求項１記載の格納棚。
【請求項１２】
前記パネルは、同等の長さを有し、前記支持ビームは、前記パネルの前記長さの整数倍である長さを有する、
請求項１記載の格納棚。
【請求項１３】
構造体から懸架する格納棚であって、
２つ又はそれ以上の個別のパネルを有する基盤と、
前記基盤の下方にある少なくとも１つの支持ビームと、互いに対して間隔をあけられて前記支持ビームに対して下端において取り付けられる少なくとも２つの懸架柱とを有する支持枠と、
前記懸架柱と前記支持ビームとが協働して前記基盤を前記構造体から懸架するよう前記構造体に対して前記支持枠を固定する締め具と、
を有し、
前記パネルは、実質的な連続平面を形成するために協働するよう互いに対して隣接して前記支持ビームに沿って位置付けられる、
格納棚。
【請求項１４】
前記支持ビームは、前記懸架柱の各々の下端と一体的に形成される、
請求項１３記載の格納棚。
【請求項１５】
前記支持ビームは２つの端部を有し、各前記支持ビーム端部は、前記基盤を越えて延在する、
請求項１３記載の格納棚。
【請求項１６】
前記支持枠は、各支持ビーム端部に対して下端において取り付けられた懸架柱を有する、
請求項１５記載の格納棚。
【請求項１７】
前記支持ビームの長さは、前記懸架柱が各支持ビーム端部において前記パネルを隣接して保持するようにされる、
請求項１６記載の格納棚。
【請求項１８】
隣接するパネルを固定するカップリングを更に有する、
請求項１記載の格納棚。
【請求項１９】
前記パネルは、ワイヤ部材のグリッドから形成され、前記カップリングは、隣接するパネルの隣接するワイヤ部材を固定するクランプを有する、
請求項１８記載の格納棚。
【請求項２０】
各パネルは、前記支持ビームに対して固定される、
請求項１３記載の格納棚。
【請求項２１】
前記懸架柱は、調整可能な長さを有する、
請求項１３記載の格納棚。
【請求項２２】
前記懸架柱は、少なくとも２つの柱要素を有し、前記懸架柱の前記長さが前記柱要素を選択的に接合することによって調整されるようにする、
請求項２１記載の格納棚。
【請求項２３】
前記パネルは、前記支持ビームに沿って位置付けられ、隣接するパネルの端部が前記支持ビームに対して垂直であるようにする、
請求項１３記載の格納棚。
【請求項２４】
前記パネルは、同等の長さを有し、前記支持ビームは、前記パネルの前記長さの整数倍である長さを有する、
請求項１３記載の格納棚。
【請求項２５】
構造体から懸架する格納棚であって、
２つ又はそれ以上の個別のパネルを有する基盤と、
前記基盤の下方にある少なくとも１つの支持ビームと、互いに対して間隔をあけられて前記支持ビームに対して下端において取り付けられる少なくとも２つの懸架柱とを有する支持枠と、
前記懸架柱と前記支持ビームとが協働して前記基盤を前記構造体から懸架するよう前記構造体に対して前記支持枠を固定する締め具と、
を有し、
各前記パネルは、実質的な連続平面を形成するために協働するよう隣接するパネルに対して固定される、
格納棚。
【請求項２６】
前記支持ビームは、前記懸架柱の各々の下端と一体的に形成される、
請求項２５記載の格納棚。
【請求項２７】
前記支持ビームは２つの端部を有し、各前記支持ビーム端部は、前記基盤を越えて延在する、
請求項２５記載の格納棚。
【請求項２８】
前記支持枠は、各支持ビーム端部に対して下端において取り付けられた懸架柱を有する、
請求項２７記載の格納棚。
【請求項２９】
隣接するパネルを固定するカップリングを更に有する、
請求項１５記載の格納棚。
【請求項３０】
前記パネルは、ワイヤ部材のグリッドから形成され、前記カップリングは、隣接するパネルの隣接するワイヤ部材を固定するクランプを有する、
請求項２９記載の格納棚。
【請求項３１】
各パネルは、前記支持ビームに対して固定される、
請求項２５記載の格納棚。
【請求項３２】
前記懸架柱は、調整可能な長さを有する、
請求項２５記載の格納棚。
【請求項３３】
前記懸架柱は、少なくとも２つの柱要素を有し、前記懸架柱の前記長さが前記柱要素を選択的に接合することによって調整されるようにする、
請求項３２記載の格納棚。
【請求項３４】
構造体から懸架する格納棚であって、
２つ又はそれ以上の個別のパネルを有する基盤と、
前記基盤の下方にある少なくとも１つの支持ビームと、互いに対して間隔をあけられて前記支持ビームに対して下端において取り付けられる少なくとも２つの懸架柱とを有する支持枠と、
前記懸架柱と前記支持ビームとが協働して前記基盤を前記構造体から懸架するよう前記構造体に対して前記支持枠を固定する締め具と、
を有し、
前記パネルは、実質的な連続平面を形成するために協働するよう互いに対して隣接する前記支持ビームに対して固定される、
格納棚。
【請求項３５】
前記支持ビームは、前記懸架柱の各々の下端と一体的に形成される、
請求項３４記載の格納棚。
【請求項３６】
前記支持ビームは２つの端部を有し、各前記支持ビーム端部は、前記基盤を越えて延在する、
請求項３４記載の格納棚。
【請求項３７】
前記支持枠は、各支持ビーム端部に対して下端において取り付けられた懸架柱を有する、
請求項３６記載の格納棚。
【請求項３８】
隣接するパネルを固定するカップリングを更に有する、
請求項３４記載の格納棚。
【請求項３９】
前記パネルは、ワイヤ部材のグリッドから形成され、前記カップリングは、隣接するパネルの隣接するワイヤ部材を固定するクランプを有する、
請求項３８記載の格納棚。
【請求項４０】
前記懸架柱は、調整可能な長さを有する、
請求項３４記載の格納棚。
【請求項４１】
前記懸架柱は、少なくとも２つの柱要素を有し、前記懸架柱の前記長さが前記柱要素を選択的に接合することによって調整されるようにする、
請求項３４記載の格納棚。
【発明の詳細な説明】
【技術分野】
【０００１】
本発明は、棚材料（ｓｈｅｌｖｉｎｇ）に係る。より具体的には、本発明は、構造体の下方に懸架される格納棚である。
【背景技術】
【０００２】
米国特許第６，４３５，１０５号明細書（特許文献１）、米国意匠特許第４５９，９２６号（特許文献２）、及び米国意匠特許第４７０，３５３号（特許文献３）を含んで、懸架される格納構造は、先行技術において既知である。懸架される構造体の例はまた、米国特許第６，４０９，０３１号明細書（特許文献４）及び米国意匠特許第４１６，１５２号（特許文献５）等の出願人に帰する参照において示される。
【特許文献１】米国特許第６，４３５，１０５号明細書
【特許文献２】米国意匠特許第４５９，９２６号
【特許文献３】米国意匠特許第４７０，３５３号
【特許文献４】米国特許第６，４０９，０３１号明細書
【特許文献５】米国意匠特許第４１６，１５２号
【特許文献６】米国特許第４，４４１，５８３号明細書
【発明の開示】
【発明が解決しようとする課題】
【０００３】
本発明に従って、これらの装置は、他の懸架される格納構造の問題点のうち複数を解決するよう意図される。
【０００４】
例えば、Ｖａｕｇｈｔ社に対する米国特許第４，４４１，５８３号明細書（特許文献６）は、通路のグレーティングから吊り下がる吊り足場を支持するよう意図されたケーブル・ハンガを示す。足場は揺れるよう意図されているため、ケーブルのループが足場を有する。しかしながら、Ｖａｕｇｈｔ社の足場がそうであるように格納棚が揺れることが所望されないことは頻繁にある。更には、通路のグレーティング以外の構造体から格納棚を懸架することが所望される。
【課題を解決するための手段】
【０００５】
構造体から懸架する格納棚は、１つ又はそれ以上のパネルによって形成された基盤を有する。場合によっては、基盤は、２つ又はそれ以上の個別のパネルを有する。基盤は、少なくとも１つの支持ビームと、互いに対して間隔をおかれて支持ビームに対して下端において取り付けられた少なくとも２つの懸架柱とを有する支持枠によって支持される。支持ビーム及び懸架柱は、場合によっては一体的に形成され得る。任意の一実施例においては、パネルは、略同等の長さを有し、支持ビームは、パネルの長さの整数倍である。締め具は、構造体に対して支持枠を固定して、支持ビーム及び懸架柱が協働して構造体から基盤を懸架するようにする。
【０００６】
任意の一実施例においては、支持ビームは２つの端部を有し、該端部は各々基盤を越えて延在する。かかる任意の一実施例においては、支持枠は、各支持ビーム端部に対して下端において取り付けられた懸架柱を有し得る。
【０００７】
任意の一実施例においては、懸架柱は、調整可能な長さを有する。例えば、任意の一実施例においては、懸架柱は、少なくとも２つの柱要素を有し、懸架柱の長さは、柱要素を選択的に接合することによって調整される。
【０００８】
２つ又はそれ以上のパネルが与えられる任意の一実施例においては、パネルは、パネルを支持ビームに沿って互いに対して隣接して位置決めすること、各パネルと隣接するパネルに対して固定すること、及び／又は各パネルを支持ビームに対して固定すること等によって、実質的な連続支持平面を形成する。任意の一実施例では、格納棚は、隣接するパネルを固定するカップリングを有する。特定の任意の一実施例においては、パネルは、ワイヤ部材のグリッドから形成され、カップリングは、隣接するパネルの隣接するワイヤ部材を固定するクランプを有する。他の任意の一実施例では、パネルは、支持ビームに沿って位置付けられ、支持ビームの長さは、懸架柱が隣接したパネルを保持するようにする。
【発明を実施するための最良の形態】
【０００９】
参照する図を通して、同様の部分は同様の参照符号で参照される。図１乃至１３を全体的に参照すると、本発明は、懸架格納棚１である。格納棚１は、天井又は他の頭上の面等の頭上の構造体１００から懸架される。格納棚は、一般的には、基盤７２、少なくとも１つの支持ビーム３１及び間隔をおかれた少なくとも２つの懸架柱６１を有する支持枠１０４、及び、締め具５１を有する。
【００１０】
格納棚１は、１つ又はそれ以上の個別のパネル１１によって形成される基盤７２を有する。パネル１１は、いずれの形状も取り得るが、任意の一実施例においては、パネル１１は平面である。また、パネル１１は、堅固な構造を含むいかなる構造も有し得る一方、任意の一実施例においては、パネル１１は、ワイヤ部材１２，１４がパネル１１を形成するよう協働するワイヤグリッドから形成される。
【００１１】
前述された通り、１枚のパネル１１のみは、基盤７２を形成するよう必要とされる。しかしながら、複数のパネル１１が基盤７２を形成するよう使用され得る、ことは意図される。２つ又はそれ以上のパネルを有する任意の一実施例では、パネル１１は、実質的な連続平面を形成する。これは、多くの異なる手法において発生し得る。例えば、任意の一実施例においては、図５，６及び１３中に図示される通り、各パネル１１は、カップリング又はヒンジ等を介して隣接するパネル１１に対して固定される。任意の一実施例では、カップリングは、例えば嵌合ボルト１０２及びナット１０３から形成されるクランプ１０１であり、実質的な接触において隣接するパネル１１の端部９に沿って隣接するワイヤ部材２３を固定及び保持する。
【００１２】
他の任意の実施例では、図２及び図４中に示す通り、パネル１１は、各パネル１１を支持ビーム３１に対して固定することによって実質的な連続平面へと形成される。例えば、嵌合ボルト１０５及びナット１０６は、支持ビーム３１において穴３６を介して、また、ワイヤ要素２１，２２の間のギャップを介して通され、パネル１１を互いに対して隣接する支持ビーム３１に対して固定及び保持し得る。
【００１３】
任意の一実施例では、図１及び図９中に示す通り、パネル１１は、支持ビーム３１に沿って隣接して位置付けられるため、パネル１１は、実質的な連続平面を形成するよう協働する。任意の一実施例においては、パネル１１は、支持ビーム３１に対して垂直である隣接するパネル１１の端部９を有して方向を決められ得る。この実施例において、説明された他の実施例と同様に、支持ビーム３１は、懸架柱６１がパネル１１を隣接して保持する長さを有し得る。特定の任意の一実施例は、パネル１１は、略同等の長さを有し、支持ビーム３１は、整数のパネル１１を収容するようパネルの長さの整数倍である。
【００１４】
次に支持枠１０４に関しては、上述された通り、支持枠１０４は、互いに対して距離をおかれた少なくとも２つの懸架柱６１に対して取り付けられた少なくとも１つの支持ビーム３１を有する。「ビーム」及び「柱」という語は通常は幅が狭く細長い構造を指すが、支持ビーム３１及び／又は懸架柱６１のいずれかが基盤７２を支持する助けとなるよう平ら及び／又は平面であり得るよう意図される、ことが留意されるべきである。図１及び図２の任意の実施例においては、例えば、２つの支持ビーム３１の各々は、２つの懸架柱６１の下端に対して接続される。図１及び図２中の任意の実施例が懸架柱６１に対して端部において取り付けられる各支持ビーム３１を示すと同時に、懸架柱６１が支持ビーム３１の長さに沿っていずれの点においても支持ビーム３１に対して取り付けられ得る、ことは意図される。同様に、図１及び図２中の任意の実施例は基盤７２の端部６を越えて延在する支持ビーム３１の端部を示すが、支持ビーム３１はいかなる長さも有し得、基盤７２に対してより長いか又は短いかのいずれかである。他の実施例では、図６乃至１２中に示される通り、図８に示される通り支持ビーム３１の一部分、又は図１２に示される通り支持ビーム３１の全てと同様に、支持ビーム３１及び懸架柱６１は、懸架柱要素６１ｂを形成する役割を果たす角継ぎ手を介して接続される。支持ビーム３１が必ずしも統一されている必要はなく、図６乃至図８中に示される通り場合によっては接合された区分を有し得る、ことは留意される。
【００１５】
支持ビーム３１及び懸架柱６１は、非永久的に又は着脱可能に互いに対して取り付けられ得る。例えば、図２中の任意の実施例においては、懸架柱６１の下端におけるＬ字型フランジ６６は、支持ビーム３１において穴３５と整列する穴７０を有し得る。整列された穴３５，７０を介して通される嵌合ナット及びボルトは、フランジ６６を、続いて懸架柱６１を支持ビーム３１に対して取り付ける。他の任意の一実施例においては、図３中に示される通り、支持ビーム３１及び懸架柱６１は、一体的に形成される。例えば、支持ビーム３１及び懸架柱６１は、図６及び図９中示される実施例の通り、２つの懸架柱６１の間に置かれた支持ビーム３１を有してＵ字型へと、あるいは、支持ビーム３１に対向する懸架柱６１の端部を接続する更なる支持枠部材を有するＵ字型に略類似するＯ型へと形成され得る。
【００１６】
懸架柱６１は、場合によっては長さが調整可能である。例えば、任意の一実施例では、懸架柱６１は各々、懸架柱６１の長さを調整するよう選択的に接合され得る柱要素６１ａ、６１ｂを有する。より具体的には、上方柱要素６１ａは、貫通する穴６５ａを有する。下方柱要素６１ｂは、貫通する穴６５ｂを有する。穴が整列される際、嵌合ボルト及びナットは、上方柱要素６１ａと下方柱要素６１ｂの互いに対する相対位置を保持し得る。上方柱要素６１ａと下方柱要素６１ｂとの間の重畳を増大させる又は低減させることによって整列された穴６５ａ，６５ｂをシフトすることによって、支持柱６１の全長は調整され得る。他の任意の実施例において（図示せず）、柱要素は嵌め合い得る。即ち外側柱要素は、内側柱要素を受け得るため、外側柱要素から内側柱要素を挿入又は除去することによって長さが調整され得る。あるいは柱要素は、端部から端部まで互いに対して係合し得るため、柱要素の追加又は除去が長さを変える。
【００１７】
上述された通り、支持枠１０４は、締め具５１を介して構造体１００に対して取り付けられるため、懸架柱６１及び支持ビーム３１は、構造体１００から基盤７２を懸架するよう協働する。より具体的には、締め具５１は、構造体１００に対する基盤７２上の負荷の移動を許可する。締め具５１は、多くの形状を取り得る。その最も初歩的な形状において、締め具５１は、支持枠１０４を構造体１００に対して接続させるハードウェアである。例えば、ブラケット、ねじ込みつき締め具、嵌合締め具、無頭釘、アンカー、又は他の取付け装置は、使用され得る。更には、締め具５１が、以下に詳細をより詳しく記載される通り、支持柱６１の一部分であり得ることは可能であるか、あるいは、懸架格納棚１を懸架するよう締め具５１と協働するトグルボルト、コンクリート用アンカー、壁用アンカー又は同等のもの等の１つより多い部品を有し得ることは可能である。
【００１８】
図１及び図３中の任意の実施例においては、例えば、２つの脚部５３，５４を有する角度ブラケットは、支持柱６１の上方端部に対して固定され得る。かかる任意の一実施例においては、貫通する１つ又はそれ以上の穴５５を有する第１の脚部５３は、スクリュ又はボルト等の取付け具５７を使用して構造体１１０に対して固定され得る。貫通する１つ又はそれ以上の穴５６を有する第２の脚部５４は、懸架柱６１において穴６５ａを介して支持柱６１に対して固定され得る。あるいは、図６中の任意の実施例において、締め具５１は、支持柱６１の端部において置かれるフランジ１１０である。例えば、図１０の任意の実施例において、フランジ１１０は、支持柱６１の端部に対して合致するレシーバ１１２に対して接続される。これらの任意の実施例のいずれにもおいて、締め具５１は、支持柱６１から着脱可能であり得、該柱に対して固定され得、あるいは、該柱と一体化し得る。例えば、図１３中では、締め具５１は、支持柱６１の端部において形成される角度である。即ち、図１３中に示される任意の実施例の締め具５１は、別個の部品ではなく、支持柱６１と一体的に形成される。
【００１９】
本発明の特定の実施例が図示され説明されてきたと同時に、本発明は、提示された請求項の趣旨及び範囲から逸脱することなく多くの修正及び変更を与えられる、ことは理解されるべきである。
【図面の簡単な説明】
【００２０】
【図１】本発明に従った懸架格納棚の一実施例の正面斜視図を示す。
【図２】本発明に従った懸架格納棚の一実施例の組立体斜視図である。
【図３】本発明に従った懸架格納棚の他の一実施例の組立体斜視図である。
【図４】構造体に取り付けられる本発明に従った懸架格納棚の一実施例の端面図である。
【図５】本発明に従ったカップリングの一実施例の組立斜視図である。
【図６】本発明に従った懸架格納棚の他の一実施例の組立斜視図である。
【図７】図６中の任意の実施例に従った締め具及び懸架柱要素の正面斜視図である。
【図８】図６中の任意の実施例に従った懸架柱要素の斜視図である。
【図９】本発明に従った懸架格納棚の他の一実施例の正面斜視図である。
【図１０】図９中の任意の実施例に従った締め具の正面斜視図である。
【図１１】図９中の任意の実施例に従った懸架柱要素の正面斜視図である。
【図１２】図９中の任意の実施例に従った懸架柱要素及び支持ビームの正面斜視図である。
【図１３】本発明に従った懸架格納棚の他の一実施例の正面斜視図である。
【図１】
2007519494.tif 000003
【図２】
2007519494.tif 000004
【図３】
2007519494.tif 000005
【図４】
2007519494.tif 000006
【図５】
2007519494.tif 000007
【図６】
2007519494.tif 000008
【図７】
2007519494.tif 000009
【図８】
2007519494.tif 000010
【図９】
2007519494.tif 000011
【図１０】
2007519494.tif 000012
【図１１】
2007519494.tif 000013
【図１２】
2007519494.tif 000014
【図１３】
2007519494.tif 000015
【国際調査報告】
2007519494.tif 000016